(57)【要約】【課題】  通信に関する情報を容易に設定可能な印刷機器を提供する。【解決手段】  媒体に印刷可能な印刷機器１０であって、画像データを受信可能な受信部１１０と、前記画像データから外部機器との通信に関する設定情報を抽出可能な画像分析部１２０と、前記設定情報を登録可能な設定登録部１３０と、を備えることを特徴とする印刷機器を提供する。【選択図】  図１
2015134443.tif 000002
【特許請求の範囲】
【請求項１】
媒体に印刷可能な印刷機器であって、
画像データを受信可能な受信部と、
前記画像データから外部機器との通信に関する設定情報を抽出可能な画像分析部と、
前記設定情報を登録可能な設定登録部と、
を備えることを特徴とする印刷機器。
【請求項２】
登録された前記設定情報に基づいて外部機器との無線での信号の送受信を実行可能な送受信部をさらに備え、
前記画像分析部は、前記画像データから外部機器との無線通信に関する設定情報を抽出可能である
ことを特徴とする請求項１に記載の印刷機器。
【請求項３】
前記画像分析部は、複数の画像データから前記設定情報を含む画像データを特定した後、前記設定情報の抽出を実行することが可能である
ことを特徴とする請求項１または請求項２に記載の印刷機器。
【請求項４】
前記画像分析部は、画像データに含まれる前記設定情報に関する画像部分が該画像データの全体に占める割合に基づいて、前記設定情報を含む画像データとして特定可能であること
を特徴とする請求項３に記載の印刷機器。
【請求項５】
画像データを受信するステップと、
前記画像データから外部機器との通信に関する設定情報を抽出するステップと、
前記設定情報を登録するステップと、
を備えることを特徴とする設定情報登録方法。
【発明の詳細な説明】
【技術分野】
【０００１】
本発明の一態様は、通信に関する情報を容易に設定可能な印刷機器等に関する。
【背景技術】
【０００２】
近年、無線通信を用いたネットワークが広く適用され、かかるネットワーク内にパソコン、プリンタ、スマートフォン、及びタブレット等の機器が接続されている。同時に、カメラを搭載し、無線通信機能を備えるスマートフォン、及びタブレット等の機器が増加している。そこで、カメラを利用して撮像されたバーコード情報から通信機器に関する情報を取得して登録することで、無線通信の設定を容易にする技術がある（特許文献１）。
【先行技術文献】
【特許文献】
【０００３】
【特許文献１】特開２０１０−１３６２３８号公報
【発明の概要】
【発明が解決しようとする課題】
【０００４】
しかしながら、特許文献１に記載された技術を含む従来の技術は、あくまでカメラを搭載することを前提としており、カメラを搭載しない機器での適用については全く想定されていなかった。すなわち、カメラを搭載しない印刷機器（プリンタ）に関しては、ユーザが手動で通信設定をする必要があり、煩雑であった。
【０００５】
本発明は、このような課題を解決するためになされたものであり、その目的のひとつは、通信に関する情報を容易に設定可能な印刷機器を提供することにある。
【課題を解決するための手段】
【０００６】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の手段１は、
媒体に印刷可能な印刷機器（印刷機器１０）であって、
画像データを受信可能な受信部（受信部１１０）と、
前記画像データから外部機器との通信に関する設定情報を抽出可能な画像分析部（画像分析部１２０）と、
前記設定情報を登録可能な設定登録部（設定登録部１３０）と、
を備えることを特徴とする印刷機器である。
【０００８】
本手段によれば、受信した画像データに基づいて外部機器との通信に関する設定情報に基づく登録情報を登録可能であるため、ユーザは容易に設定情報を登録することが可能となる。
【０００９】
本発明の手段２は、
登録された前記設定情報に基づいて外部機器との無線での信号の送受信を実行可能な送受信部（有線送受信部１４０または無線送受信部１５０）をさらに備え、
前記画像分析部は、前記画像データから外部機器との無線通信に関する設定情報を抽出可能である（画像分析部１２０がＳ３５０の処理を実行する部分）、
ことを特徴とする手段１の印刷機器である。
【００１０】
本手段によれば、特に設定が煩雑な無線通信に関する設定情報に基づいた登録情報を容易に登録可能になるため、ユーザによる煩雑な設定操作を無くすことができる。
【００１１】
また、本発明の手段３は、
前記画像分析部は、複数の画像データから前記設定情報を含む画像データを特定した後、前記設定情報の抽出を実行することが可能である（画像分析部１２０がＳ３８０、Ｓ４００、及びＳ４１０の処理を実行する部分）
ことを特徴とする手段１または手段２の印刷機器である。
【００１２】
本手段によれば、印刷機器は、受信した画像データが２次元コード等の設定情報を含む画像データを含んでいるかどうかを自動的に判断したうえで、ユーザにこの２次元コード等に含まれる情報を設定情報として利用するか否かの確認を促し、設定情報を登録する。これによって、ユーザは、印刷機器に対して、予め設定情報に関する画像データを送信することを予告する操作を省略することができる。
【００１３】
また、本発明の手段４は、
前記画像分析部は、画像データに含まれる前記設定情報に関する画像部分が該画像データの全体に占める割合に基づいて、前記設定情報を含む画像データとして特定可能であること（画像分析部１２０がＳ４２０の処理を実行する部分）
を特徴とする手段３の印刷機器である。
【００１４】
本手段によれば、ユーザが送信した複数の画像の中に意図せず含まれた２次元コード等の設定情報を含む画像データを排除し、ユーザが意図した２次元コード等を利用して設定情報を登録することが可能となる。
【００１５】
また、本発明の手段５は、
画像データを受信するステップ（Ｓ３２０）と、
前記画像データから外部機器との通信に関する設定情報を抽出するステップ（Ｓ３５０）と、
前記設定情報を登録するステップ（Ｓ３６０）と、
を備えることを特徴とする設定情報登録方法である。
【００１６】
本手段によれば、受信した画像データに基づいて外部機器との通信に関する設定情報を登録可能であるため、ユーザは容易に通信に関する設定情報を登録することが可能となる。
【図面の簡単な説明】
【００１７】
【図１】本発明のシステム構成例を示す図。
【図２】実施形態１の無線通信設定登録処理を示すフローチャート。
【図３】実施形態２の画像データ受信処理を示すフローチャート。
【図４】実施形態３の画像データ受信処理を示すフローチャート。
【発明を実施するための形態】
【００１８】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）システム構成
（２）無線通信設定登録処理
２．実施形態２
（１）構成
（２）画像データ受信処理
３．実施形態３
（１）構成
（２）画像データ受信処理
４．補足事項
【００１９】
＜１．実施形態１＞
まず、本発明の実施形態１について、図１及び図２を参照しながら説明する。
【００２０】
＜（１）システム構成＞
図１は、本実施形態のシステムの構成を示す図である。図１に示すように、本実施形態のシステムは、印刷機器１０及び撮像機器２０を含んで構成される。印刷機器１０は、例えばインクジェットプリンタ、レーザープリンタ等のプリンタである。撮像機器２０は、デジタルカメラ、デジタルカメラを搭載した携帯電話（スマートフォンを含む）、またはデジタルカメラを搭載したタブレット等の撮像機能を備える機器である。
【００２１】
＜印刷機器１０＞
印刷機器１０は、受信部１１０、画像分析部１２０、設定登録部１３０、有線送受信部１４０、無線送受信部１５０、及び印刷部１６０を含んで構成される。
【００２２】
＜受信部１１０＞
受信部１１０は、例えば近距離無線通信による外部機器との無線通信機能を備える機能部分であり、印刷機器１０が撮像機器２０からデータを受信する際に利用される。受信部１１０は、特に、撮像機器２０の送信部２４０から画像データを受信可能に構成される。受信部１１０は、撮像機器２０の送信部２４０から受信した画像データを、画像分析部１２０に出力可能に構成される。なお、受信部１１０は必ずしも無線通信での画像データの受信を前提とするものではなく、有線での画像データの受信を行うものであってもよい。
【００２３】
＜画像分析部１２０＞
画像分析部１２０は、受信部１１０から入力された画像データを分析することで、この画像データから設定情報を抽出し、抽出した設定情報を設定登録部１３０に出力可能に構成される。より具体的には、画像分析部１２０は、受信部１１０から入力された画像データに２次元コードの画像が含まれるか否かを判定し、２次元コードが含まれていた場合にはこの２次元コードから、外部機器との無線通信に関する設定情報の抽出を実行可能に構成される。設定情報には、無線通信のための情報である、接続すべきアクセスポイントの識別情報、パスワード、及びネットワークのタイプ等の情報が含まれる。
【００２４】
＜設定登録部１３０＞
設定登録部１３０は、入力された設定情報を登録可能に構成される。この設定情報の登録後、印刷機器１０では、設定登録部１３０に登録された設定情報に基づいたデータの送受信が行われる。
【００２５】
＜有線送受信部１４０＞
有線送受信部１４０は、外部機器との有線でデータの送受信を実行可能に構成される。有線送受信部１４０は、外部機器から受信した画像データを印刷部１６０に出力することが可能である。この有線送受信部１４０は、例えばＵＳＢ、または有線ＬＡＮ等のデータ送受信機能を備える部分である。
【００２６】
＜無線送受信部１５０＞
無線送受信部１５０は、外部機器との無線でデータの送受信を実行可能に構成される。無線送受信部１５０は、外部機器から受信した画像データを印刷部１６０に出力することが可能である。この無線送受信部１５０は、例えば無線ＬＡＮ等のデータ送受信機能を備える部分である。
【００２７】
＜印刷部１６０＞
印刷部１６０は、紙等の媒体に、インク等の塗料を吐出して印刷を実行可能に構成される。この印刷部１６０は、一般的なインクジェットプリンタ、またはレーザープリンタ等のプリンタが備える印刷機能に関する部分であり、プリンタヘッド、駆動装置、制御装置、及びメモリ等を含んで構成される。
【００２８】
＜撮像機器２０＞
撮像機器２０は、撮像部２１０、制御部２２０、メモリ２３０、及び送信部２４０を含んで構成される。
【００２９】
＜撮像部２１０＞
撮像部２１０は、対象の画像を撮像し、撮像した画像のデータを制御部２２０に出力可能に構成されており、レンズ、イメージセンサ等を含んで構成される。本実施形態では特に、撮像部２１０は、紙に印刷された、または画面に表示された、２次元コードを撮像可能である。
【００３０】
＜制御部２２０＞
制御部２２０は、撮像部２１０から入力された画像データをメモリ２３０に記録させ、撮像部２１０から入力された画像データまたはメモリ２３０に記録された画像データを、送信部２４０に出力可能に構成される。制御部２２０は、撮像部２１０に指示して対象の撮像を実行させ、メモリ２３０に要求して記憶された画像データ等を制御部２２０に出力させ、さらに送信部２４０に指示して印刷機器１０に対して画像データ等を送信させることができるよう構成される。
【００３１】
＜メモリ２３０＞
メモリ２３０は、制御部２２０から受け取った画像データを記録可能に構成される。メモリ２３０は、この画像データ以外にも、撮像機器２０の設定情報等を記憶可能に構成されている。
【００３２】
＜送信部２４０＞
送信部２４０は、制御部２２０から入力された画像データ等を、例えば近距離無線通信などの無線通信手段によって、印刷機器１０に対して送信可能に構成される。
【００３３】
＜（２）無線通信設定登録処理＞
次に、本実施形態の特徴である無線通信設定登録処理について、図２のフローチャートを参照しながら具体的に説明する。この無線通信設定登録処理は、印刷機器１０を無線通信のネットワークに接続する際に実行される処理であって、特にカメラやスキャナ機能を持たない印刷機器に対して効果がある。
【００３４】
まず、無線通信設定登録処理に用いられる２次元コードの画像は、無線ネットワークを構成する無線ルータの本体または説明書に記載されていたり、インターネット上で取得可能したりすることができる。インターネットからこの２次元コードを取得する場合には、この２次元コードが表示されたパソコン端末の画面を撮像することで取得可能である。前述のように、この２次元コードには設定情報が含まれており、この設定情報には、無線通信のための情報である、接続すべきアクセスポイントの識別情報、パスワード、及びネットワークのタイプ等の情報が含まれる。
【００３５】
撮像機器２０では、ユーザの操作によって、撮像部２１０がこの２次元コードが記載された媒体の画像を撮像し、撮像された２次元コードを含む画像のデータがメモリ２３０に格納されている。
【００３６】
＜Ｓ３００〜Ｓ３２０＞
ユーザは、印刷機器１０に対して無線通信の設定を開始しようとして所定のキー入力操作を実行する。このユーザの操作によって、無線通信設定登録が開始される（Ｓ３００）。このユーザの操作に応答して、印刷機器１０は、表示部（図示せず）に、無線通信に関する設定情報を含む画像データ（２次元コード）を近距離無線通信で送信するようユーザに促す表示をする（Ｓ３１０）。ユーザは、この表示に応答して撮像機器２０を操作し、メモリ２３０に格納された２次元コードを含む画像データを、送信部２４０から受信部１１０に対して送信させる。このユーザの操作によって、受信部１１０は画像データを受信する（Ｓ３２０）。受信部１１０は、この画像データを画像分析部１２０に出力する。
【００３７】
＜Ｓ３３０、Ｓ３４０＞
画像データを受け取った画像分析部１２０は、この画像データが設定情報を含む２次元コードを含んでいるか否かを確認する（Ｓ３３０）。より具体的には、２次元コードを含んでいることを確認した後、この２次元コードから情報を抽出し、この情報が所定の形式（フォーマット）の設定情報を含んでいる否かを判断する。画像データが２次元コードを含んでいなかったり、２次元コードは含んでいるものの所定の形式の設定情報を含んでいなかったりした場合には（Ｓ３３０でＮ）、表示部（図示せず）に、正しい２次元コードを含む画像が認識されなかった旨のエラー表示を行い（Ｓ３４０）、処理を終了する（Ｓ３７０）。
【００３８】
＜Ｓ３５０＞
確認対象の画像データが設定情報を含む２次元コードであった場合には（Ｓ３３０でＹ）、画像分析部１２０は、この画像データを分析して所定の形式の設定情報を抽出する（Ｓ３５０）。画像分析部１２０は、この処理によって、外部機器である無線ルータとの無線通信に関する設定情報を取得する。画像分析部１２０は、ここで取得した設定情報を設定登録部１３０に出力する。
【００３９】
＜Ｓ３６０＞
設定登録部１３０は、入力された、外部機器である無線ルータとの無線通信に関する設定情報を、設定登録部１３０内のメモリに登録する（Ｓ３６０）。設定情報の登録が完了したら、無線通信設定登録処理は終了する（Ｓ３７０）。
【００４０】
この無線通信に関する設定情報が登録されることで、印刷機器１０における、この登録以降の無線通信においては、必要に応じてこの設定情報が活用されることとなる。すなわち、無線送受信部１５０は、設定登録部１３０に登録された設定情報を参照し、この設定情報に基づいて無線信号の送受信を行う。これによって、無線送受信部１５０は、無線ネットワークに接続されたパソコンまたはスマートフォン等に記録された画像データを受信し、受信した画像データを印刷部１６０によって印刷させる。
【００４１】
なお、上記では無線通信であることを前提とした説明を行ったが、これは有線での通信であっても同様に適用可能である。この場合、設定情報は外部機器との有線通信に関する情報であり、有線送受信部１４０が、設定登録部１３０に登録された設定情報を参照して画像データの受信等を実行することとなる。
【００４２】
上記のような印刷機器１０によれば、受信した画像データに基づいて、外部機器との通信に関する設定情報に基づく登録情報を登録可能であるため、ユーザは容易に設定情報を登録することが可能となる。
【００４３】
また、上記のように無線通信に関する設定情報を登録する場合には、特に設定が煩雑な無線通信に関する設定情報に基づいた登録情報を容易に登録可能になるため、ユーザによる煩雑な設定操作を無くすことができる。
【００４４】
＜２．実施形態２＞
次に、本発明の実施形態２について説明する。本実施形態では、無線通信に関する設定情報の登録の処理が異なっている。実施形態１では、最初にユーザのキー入力によって無線通信の設定を開始されたが、本実施形態では、このようなユーザによるキー入力は必ずしも必要ない点で異なっている。具体的には、以下で説明するように、複数の画像データの中に、設定情報を含む２次元コードの画像データが含まれているか否かを、印刷機器１０の画像分析部１２０が判定することができる。なお、以下の説明では実施形態１と異なる点を中心に説明を行い、実施形態１と同様の内容についてはその説明を省略する場合がある。
【００４５】
＜（１）構成＞
＜画像分析部１２０＞
画像分析部１２０は、実施形態１で説明した機能に加え、受信部１１０から入力された複数の画像データから、設定情報を含む画像データを特定可能な機能を持っている。これによって、画像分析部１２０は、入力された複数の画像データから設定情報を含む画像データを特定したうえで、当該画像データから設定情報を抽出することが可能である。画像分析部１２０は、複数の画像データから設定情報を含む画像データを特定するときには、各画像に対する画像処理によって、２次元コードが画像中に含まれるか否かを判定するなどの処理を実行する。２次元コードを含む画像データが複数含まれていた場合は、画像データの撮影時間の情報を参照し、撮影時間が最も新しい画像データを採用することとすることが好ましい。
【００４６】
＜（２）画像データ受信処理＞
ここで、本実施形態の画像データ受信処理について、図３のフローチャートを参照しながら具体的に説明する。
【００４７】
＜Ｓ３００、Ｓ３２０＞
ユーザは、撮像機器２０で撮像した複数の画像データを、印刷機器１０に受信させる操作を行う（Ｓ３００）。これによって、撮像機器２０の送信部２４０から印刷機器１０の受信部１１０に対してこれらの画像データが送信され、受信部１１０はこれらの画像データを受信する（Ｓ３１０）。受信部１１０は、これらの画像データを画像分析部１２０に出力する。
【００４８】
＜Ｓ３８０＞
これらの複数の画像データを受け取った画像分析部１２０は、これらの受信画像データの中に、２次元コードを含む画像が含まれるかどうかを判定する（Ｓ３８０）。受信画像データの中に２次元コードを含む画像が含まれていなかった場合には（Ｓ３８０でＮ）、印刷部１６０はこれらの画像データを通常の方法で印刷し（Ｓ３９０）、画像データ受信処理を終了する（Ｓ３７０）。
【００４９】
＜Ｓ４００＞
受信画像データの中に、２次元コードを含む画像が含まれていた場合には（Ｓ３８０でＹ）、画像分析部１２０は、印刷機器１０の表示部（図示せず）に、２次元コードを含む画像データを設定情報に使用するか否かの確認をユーザに促す表示をする（Ｓ４００）。ユーザが、この２次元コードを含む画像データを設定情報として使用しないことを示す操作を行った場合には（Ｓ４００でＮ）、印刷部１６０は複数の受信画像データを通常の方法で印刷し（Ｓ３９０）、画像データ受信処理を終了する（Ｓ３７０）。
【００５０】
＜Ｓ４１０＞
ユーザが、この２次元コードを含む画像データを設定情報として使用することを示す操作を行った場合には（Ｓ４００でＹ）、画像分析部１２０は、この２次元コードを含む画像から、２次元コードによって示される設定情報を抽出する（Ｓ４１０）。画像分析部１２０は、この処理によって、外部機器である無線ルータとの無線通信に関する設定情報を取得する。そして、画像分析部１２０は、ここで取得した設定情報を設定登録部１３０に出力する。
【００５１】
＜Ｓ３６０＞
設定登録部１３０は、入力された、外部機器である無線ルータとの無線通信に関する設定情報を、設定登録部１３０内のメモリに登録する（Ｓ３６０）。設定情報の登録が完了したら、画像データ受信処理は終了する（Ｓ３７０）。
【００５２】
このようにして、印刷機器１０における無線通信に関する設定情報が登録される。
【００５３】
上記のような印刷機器１０では、受信した画像データが２次元コード等の設定情報を含む画像データを含んでいるかどうかを自動的に判断したうえで、ユーザにこの２次元コード等に含まれる情報を設定情報として利用するか否かの確認を促し、設定情報を登録する。これによって、ユーザは、印刷機器１０に対して、予め設定情報に関する画像データを送信することを予告する、実施形態１で行われた操作を省略することができる。
【００５４】
なお、上記の説明では、画像分析部１２０で検出された２次元コードを含む画像データの設定情報を利用するか否かについてユーザに確認したが、この確認は必ずしも必要ではなく、ユーザによる確認を実行することなく、この２次元コードを含む画像データの設定情報を利用した処理を行ってもよい。無線通信に関する設定情報が全く登録されていない状態でのみ、ユーザによる確認を省略してもよい。
【００５５】
＜３．実施形態３＞
次に、本発明の実施形態３について説明する。本実施形態では、実施形態２と比較して、２次元コードを含む画像データの検出方法が異なっている点が特徴的である。以下の説明では、実施形態１及び実施形態２と異なる点を中心に説明を行い、実施形態１及び実施形態２と同様の内容についてはその説明を省略する場合がある。
【００５６】
＜（１）構成＞
＜画像分析部１２０＞
画像分析部１２０は、実施形態１及び実施形態２で説明した機能に加え、画像データに含まれる２次元コード部分が、所定の大きさ以上かどうかを判定する機能を有する。具体的には、画像分析部１２０は、画像データの全体の面積に占める、２次元コード部分の面積が８０％以上かどうかを判定する。画像分析部１２０は、この判定で所定の大きさ以上であると判定された２次元コードを含む画像を対象として、設定情報の取得を実行する。
【００５７】
＜（２）画像データ受信処理＞
ここで、本実施形態の画像データ受信処理について、図４のフローチャートを参照しながら具体的に説明する。なお、本実施形態の画像データ受信処理は、実施形態２の画像データ受信処理と比較して、Ｓ３８０より後の処理が変更になっているため、この変更点について説明する。
【００５８】
＜Ｓ４２０＞
受信画像データの中に、２次元コードを含む画像が含まれていた場合には（Ｓ３８０でＹ）、この２次元コードを含む画像における２次元コード部分の大きさが画像全体に占める割合が８０％以上か否かを判定する（Ｓ４２０）。この判定の結果、２次元コード部分の大きさが画像全体に占める割合が８０％未満であった場合（Ｓ４２０でＹ）、印刷部１６０は複数の受信画像データを通常の方法で印刷し（Ｓ３９０）、画像データ受信処理を終了する（Ｓ３７０）。
【００５９】
＜Ｓ４３０＞
上記判定の結果、２次元コード部分の大きさが画像全体に占める割合が８０％以上であった場合（Ｓ４２０でＹ）、画像分析部１２０は、この２次元コードを含む画像から、２次元コードが示す設定情報を抽出する（Ｓ４３０）。ここで、設定情報の抽出に失敗した場合（Ｓ４３０でＮ）、印刷部１６０は複数の受信画像データを通常の方法で印刷し（Ｓ３９０）、画像データ受信処理を終了する（Ｓ３７０）。一方で、設定情報の抽出に成功した場合（Ｓ４３０でＹ）、画像分析部１２０は、抽出した設定情報を設定登録部１３０に出力する。その後、実施形態２と同様の処理を実行して、画像データ受信処理を終了する。
【００６０】
上記のような印刷機器１０によれば、ユーザが送信した複数の画像の中に意図せず含まれた２次元コード等の設定情報を含む画像データを排除し、ユーザが意図した２次元コード等を利用して設定情報を登録することが可能となる。
【００６１】
なお、２次元コード部分の面積の割合については任意に決定可能である。また、２次元コード部分が画像全体に対する面積ではなく、画像データの縦または横の長さに占める割合に応じて判定してもよい。この場合、２次元コード部分の縦の長さまたは横の長さが、画像データ全体の縦の長さまたは横の長さに対する割合が８０％以上か否かで判定する。
【００６２】
＜４．補足事項＞
以上、本発明の実施形態１乃至実施形態３についての具体的な説明を行った。上記説明は、あくまで一実施形態としての説明であって、本発明の範囲はこの一実施形態に留まらず、当業者が把握可能な範囲にまで広く解釈されるものである。
【００６３】
上記各実施形態において、受信部１１０と、有線送受信部１４０または無線送受信部１５０は、同一の構成であってもよい。また、有線送受信部１４０または無線送受信部１５０は、いずか一方のみを含む構成であってもよい。
【００６４】
また、上記各実施形態では、無線通信に関する設定情報を設定登録部１３０に登録しているが、これとは別の設定情報でも良い。例えば、印刷機器で利用する用紙に関する設定などが考えられる。ただし、無線通信に関する設定情報を登録する処理は、パスワード等を手動入力する際にミスが発生しやすいなど、煩雑になりがちであるため、特に本発明が有用である。
【産業上の利用可能性】
【００６５】
本発明は、無線通信機能を備えた印刷機器等に好適に適用される。
【符号の説明】
【００６６】
１０…印刷機器
２０…撮像機器
１１０…受信部
１２０…画像分析部
１３０…設定登録部
１４０…有線送受信部
１５０…無線送受信部
１６０…印刷部
２１０…撮像部
２２０…制御部
２３０…メモリ
２４０…送信部
【図１】
2015134443.tif 000003
【図２】
2015134443.tif 000004
【図３】
2015134443.tif 000005
【図４】
2015134443.tif 000006